(57)【要約】【課題】実際の撮影被写体とその被写体を撮影した推奨構図画像の位置合わせを正確に行うためには、推奨構図画像を撮影した撮影位置から撮影者が位置合わせを行う必要であるが、推奨構図画像の撮影位置を提示する手段が無ため、撮影位置次第では実際の撮影被写体と推奨構図画像の位置合わせができない問題がある。【解決手段】撮像装置の位置姿勢、撮影方向情報と推奨撮影画像の撮影位置から撮影位置情報を算出し、表示装置上に撮影位置情報をスルー画像上に重畳して表示することで、撮影者に正確な撮影位置を提示することが可能である。その後、同様に表示装置上に撮影位置から推奨撮影画像の構図を示す構図情報をスルー画上に重畳して表示することで、実際の被写体と推奨撮影画像の構図を正確に位置合わせを行うことが可能である。【選択図】図３
2017085433.tif 000002
【特許請求の範囲】
【請求項１】
撮像装置の現在位置を取得する位置取得手段と、前記撮像装置の姿勢を検出する姿勢検出手段と、前記撮像装置の撮影方向を検出する撮影方向検出手段と、所定の被写体を撮影するための撮影位置情報及び推奨構図情報を取得する取得手段と、前記位置取得手段で取得した現在位置と、前記撮影方向検出手段と、前記姿勢検出手段で検出した姿勢に基づいて、前記取得手段で取得した撮影位置情報が示す位置をスルー画像上に重畳して表示するように制御し、前記撮像装置が前記撮影位置情報が示す位置に到達した後に前記推奨構図情報が示す構図を表示するように制御する表示制御手段とを有することを特徴とする撮像装置。
【請求項２】
通信先に前記現在位置を送信する送信手段を更に有し、前記取得手段は、前記現在位置の送信に基づいて前記推奨構図情報を取得することを特徴とする請求項１に記載の撮像装置。
【請求項３】
前記取得手段は、前記推奨構図情報に基づいた撮影を行うための撮影パラメータも取得する請求項１又は請求項２に記載の撮像装置。
【請求項４】
前記表示制御手段は、前記撮影位置情報が示す位置をスルー画像上に示す前に、前記撮影位置情報が示す位置が撮影範囲となる位置へユーザーを誘導する表示を行う請求項１乃至請求項３の何れか一項に記載の撮像装置。
【請求項５】
前記取得手段により、前記撮影パラメータを送信できることを特徴とする請求項１乃至請求項４の何れか一項に記載の撮像装置。
【発明の詳細な説明】
【技術分野】
【０００１】
本発明は、撮影を行う際に選択した推奨撮影画像と同じ構図で撮影を行うための指標を表示装置に表示することにより、推奨撮影画像と同じ構図で撮影被写体を撮影することを可能とする撮影補助方法、及びプログラムに関する。
【背景技術】
【０００２】
近年、デジタルスチルカメラ等の撮像装置が広く普及している。また、ネットワーク環境が一般化したことにより、これらの撮像装置で撮影した写真、動画等をホームページやSNS(Social Network Service)上にアップロードすることで、写真等のコンテンツを複数人に公開、共有する人が増加している。このように、撮影した写真を公開、共有することが一般的になりつつある。
【０００３】
写真、動画等のコンテンツをWeb上に公開、共有している人々は、プロカメラマンのような写真をアップロードしたいために写真雑誌、写真学校等で写真撮影方法を学んでいる人が多い。しかし、雑誌等の知識のみでは、実際、被写体をどのような構図、カメラ設定で撮影を行えば良いのか分らない。そのため、ネットワーク上に掲載されているプロカメラマンが撮影したような写真のように撮影を行うことは困難である。そこで、撮影者が撮影構図、カメラ設定等を決定するための補助機能など、撮影者の撮影の助けとなる情報を提供する手段が重要になってくる。
【０００４】
第１の従来例として、無線通信手段により撮影画像データをデータベース化したサーバー上から、撮影者の現在位置の近くで撮影された写真を検索、ダウンロードし、その写真を推奨構図画像として使用する方法が提案されている（特許文献１を参照）。この方法では、ダウンロードした推奨構図画像を撮像装置の表示装置に半透明表示し、撮影者がその推奨構図画像と実際の被写体の位置合せ後、撮影を行うことでプロカメラマンのような構図の撮影が可能である。
【０００５】
第２の従来例として、撮像装置の位置、撮影方向を地図情報上にアイコン表示することで、撮影者に被写体に対する撮像装置位置を提示する方法が提案されている（特許文献２を参照）。この方法では、被写体に対して、撮像装置の位置情報からどの撮影位置から撮影を行えば良いか地図上で確認しながら撮影を行うことが可能である。
【先行技術文献】
【特許文献】
【０００６】
【特許文献１】特開２００２−１０１１４号公報
【特許文献２】特開２００９−１１８０８１号公報
【発明の概要】
【発明が解決しようとする課題】
【０００７】
しかしながら、第１の従来例では、実際の撮影被写体とその被写体を撮影した推奨構図画像の位置合わせを正確に行うためには、推奨構図画像を撮影した撮影位置から撮影者が位置合わせを行う必要がある。しかし、第１の従来例には、推奨構図画像の撮影位置を提示する手段が無い。そのため、撮影位置次第では実際の撮影被写体と推奨構図画像の位置合わせができない問題がある。また同様に、第２の従来例では、地図上に撮像装置の位置をアイコン提示するが、地図上ではスケールが縮小されているため、正確な撮影位置を提示することができない問題がある。
【０００８】
本発明は、このような前記従来技術の課題を解決することを目的としてなされたものである。本発明の目的は、撮影を行う際に選択した推奨撮影画像と同じ構図で撮影を行うために、推奨撮影画像を撮影した正確な撮影位置に撮影者を導くための指標、推奨撮影画像の構図を示す指標を表示装置に表示することにより、撮影構図の指標と実際の被写体の位置合わせを容易にする撮影補助方法及びプログラムを提供することにある。
【課題を解決するための手段】
【０００９】
上記の目的を達成するために、本発明に係る撮像装置は、
撮像装置の現在位置を取得する撮影位置取得手段と、前記撮像装置の撮影方向を検出する撮影方向検出手段と、前記撮像装置の姿勢を検出する撮影姿勢検出手段と、所定の被写体を撮影するための撮影位置情報及び推奨構図情報を取得する取得手段と、前記撮影位置取得手段で取得した現在位置、前記撮影方向検出手段で検出した撮影方向と、前記姿勢検出手段で検出した姿勢に基づいて、前記取得手段で取得した撮影位置情報が示す位置をスルー画像上に重畳して表示するように制御し、前記撮像装置が前記撮影位置情報が示す位置に到達した後に前記推奨構図情報が示す構図を表示するように制御する表示制御手段とを有することを特徴とする。
【発明の効果】
【００１０】
本発明に係る撮像装置によれば、撮像装置の位置姿勢、撮影方向情報と推奨撮影画像の撮影位置から撮影位置情報を算出し、表示装置上に撮影位置情報をスルー画像上に重畳して表示することで、撮影者に正確な撮影位置を提示することが可能である。その後、同様に表示装置上に撮影位置から推奨撮影画像の構図を示す構図情報をスルー画上に重畳して表示することで、実際の被写体と推奨撮影画像の構図を正確に位置合わせを行うことが可能である。
【図面の簡単な説明】
【００１１】
【図１】本発明の実施形態に係る撮像装置の概略構成の一例を示すブロック図
【図２】推奨撮影画像の撮影位置、撮影位置までの道順の表示例
【図３】スルー画に撮影位置を示す撮影位置提示用仮想枠を重畳した撮影画像の表示例
【図４】撮影構図提示用仮想枠をスルー画に重畳した撮影画像の表示例
【図５】撮影構図提示用仮想枠と画角を合わせた場合の表示例
【図６】本発明の実施形態に係る撮像装置１００の制御方法を示すフローチャート
【発明を実施するための形態】
【００１２】
以下、本発明を実施するための形態を図面に基づいて説明する。
【００１３】
図１は本発明の実施形態に係る撮像装置１００の概略構成の一例を示すブロック図である。
【００１４】
図１に示すように、前記撮像装置１００は、いわゆるデジタルスチルカメラ等の撮像装置であり、前記撮像装置１００の構成は、撮像処理部１で撮像した撮像データを用い、画像処理部２により撮像画像を生成し、記録部７により前記撮像画像の記録を行う構成である。また、撮像装置１００の撮影操作、メニュー設定を行うための操作部８、撮像画像、撮影情報等の確認を行うための表示部９を有する。さらに、本実施形態の構成として、外部モジュールと無線でデータの送受信を行うための無線処理部４、前記撮像装置１００の現在位置姿勢、撮影方向の検出を行うための撮像装置状態検出部５、推奨撮影画像の構図をスルー画に重畳するための画像合成処理部６を有する。そして、前記撮像装置１００の全ての前記処理部は制御処理部３により制御される。
【００１５】
前記撮像処理部１は、複数枚のレンズ、絞り等から構成される光学部、撮像素子、撮像素子を駆動するためのドライバ、タイミング生成回路、CDS／AGC回路等から構成される。前記光学部は外部から入射した入射光量を調整するための絞り、ＮＤフィルター（ND:Neutral  Density）で構成される。また、レンズ郡を光軸に対して駆動されることで撮影被写体を合焦、手ぶれ等の撮像画像ぶれの軽減を行う。前記撮像素子は光電変換による被写体の撮像を行い、CDS／AGC回路により前記撮像素子の各画素に蓄えられた電荷（画像信号）に基づく画像情報をサンプリング及び増幅する。なお、サンプリングでは相関二重サンプリング（CDS：Correlated Double Sampling）が、増幅では自動利得調整（AGC：Auto Gain Control）が行われる。A/D変換器は、前記CDS／AGC回路から出力された画像情報（アナログ信号）をデジタル信号に変換する。前記A/D変換器から出力された画像情報（デジタル信号）に対して前記画像処理部２によりAWB（auto white balance）、ガンマ制御等の種々の信号処理に最終画像の生成を行う。また、前記撮像素子を駆動するためのドライバ、タイミング生成回路は、前記撮像素子を駆動するための駆動パルス等を前記撮像素子へ供給し、前記撮像素子で撮像した画像の読み出しや露出時間の調整を行う。
【００１６】
前記制御処理部３は、マイクロコンピュータ、マイクロコントローラと称される回路であり、前記撮像装置１００の動作を統括的に制御する。前記無線処理部４は、無線通信により前記撮像装置１００の外部に存在するサーバーとデータの通信を行う。前記撮像装置状態検出部５は、前記撮像装置１００の現在位置姿勢、撮影方向等の情報を検出する。前記無線処理部４は前記撮像装置状態検出部５で検出した情報を前記サーバーに送信、または、前記サーバーから前記撮像装置１００の現在位置周辺で撮影された推奨撮影画像データ、前記推奨画像データの撮影姿勢位置、撮影方向、撮像装置の設定データを受信する。前記画像合成部６は、前記撮影装置状態検出部５で取得したデータと前記無線処理部で取得した前記推奨撮影画像データから撮影位置、撮影構図を算出し、前記画像処理部２で生成した画像データに重畳することで撮影補助用の提示画像を生成する。前記表示部９は、前記無線処理部４が受信した推奨撮影画、前記画像合成部６で生成した前記提示画像データを表示する。
【００１７】
前記記録部７では、前記画像処理部２により生成した撮影画像を内部メモリ、または、  メモリーカード等の外部メモリに保存する。撮影者は前記操作部９を使用することで、前記撮影装置１００の撮影時のキー操作、設定メニュー等の設定を行う。
【００１８】
＜第１の実施形態＞
撮像装置１００の本実施形態での動作では、まず、撮像装置状態検出部５により撮像装置の現在位置を検出する。その後、検出した現在位置、制御処理部３による得られる現在の時刻を無線処理部４により外部サーバーに送信し、外部サーバーでは撮像装置の現在位置に近い範囲で現在の時刻に撮影された推奨撮影画像を検索、撮像装置に送信する。撮像装置は外部サーバーから送信された推奨撮影画像を無線処理部４により受信し、表示部９に推奨撮影画像を表示する。撮影者は表示部９に表示された推奨撮影画像から撮影したい構図の推奨撮影画像を選択する。選択後、選択した推奨撮影画像の撮影位置、撮影位置までの道順が表示される（図２を参照）。
【００１９】
その後、撮影者は表示部９に表示された選択した推奨撮影画像の撮影位置に向かう。そして、撮影装置状態検出部５により撮影者が推奨撮影画像の撮影位置の近づいたことを検出した場合、画像合成処理部６により撮像画像上に推奨撮影画像の撮影位置を示す撮影位置提示用仮想枠を重畳する。撮影者は表示部９に表示された撮影位置提示用仮想枠を重畳した撮像画像を確認しながら推奨撮影画像の撮影位置に向かうことが可能である。これにより、撮影者に推奨撮影画像を撮影するために必要となる正確な撮影位置を提示することが可能である（図３を参照）。
【００２０】
撮影装置状態検出部５により撮影者が推奨撮影画像の撮影位置に到着したことを検出した場合、無線処理部４により外部サーバーから推奨撮影画像の撮影構図、絞り、シャッタースピード、ISO感度等の撮影パラメータを受信する。その後、制御処理部３は受信した撮影パラメータを撮像装置に設定する。また、画像合成処理部６は受信した撮影構図データを提示する撮像構図提示枠を撮像画像に重畳する。そして、表示部９に撮像構図提示枠を重畳した撮像画像を表示する（図４を参照）。撮影者は撮像装置の画角と表示部９に表示されている撮像構図提示枠を一致するように画角を決定し、撮影を行うことで撮像推奨画像と同じ構図で撮影を行うことが可能である（図５を参照）。このとき、撮像処理部１の防振機能を用いることで撮像構図提示枠が表示部９と一致した状態を保持する。ここで、無線処理部４は外部サーバーから、撮影推奨画像の撮影位置、撮影構図、撮影パラメータ等の撮影データを個別に受信しているが、すべてのデータを一括で受信しても構わない。
【００２１】
本実施形態では、図１に示すように、全て独立した回路部の構成を示している。しかしながら、全ての構成又はその一部は制御処理部３内に構成するようにする形態であってもよい。
【００２２】
次に、本実施形態の撮像装置１００において制御処理部３が行う制御方法について、図６により説明を行う。
【００２３】
図６は本発明の実施形態に係る撮像装置１００の制御方法を示すフローチャートである。
【００２４】
本実施形態では、まずステップS１０１において撮像を行う。次に本実施形態の撮影補助モードを行うか否かをステップS１０２において判定を行う。ここで、撮影補助モードが選択されたと判定された場合、ステップS１０３において撮像装置状態検出部５において撮像装置１００の現在の撮影位置、撮影姿勢、撮影方向を検出する。一方、撮影補助モードが選択されていないと判定された場合、フローチャートの処理を終了する。次に、ステップS１０４において制御処理部３において現在の時刻を取得する。その後、ステップS１０３で検出した撮像装置１００の現在の撮影位置、撮影姿勢、撮影方向、ステップS１０５で取得した現在の時刻を無線処理部４において外部サーバーに送信する。ステップS１０６において外部サーバーは撮像装置１００から送信されたデータにより外部サーバー上に記録されている推奨撮影画像データから現在の撮影位置、時刻に一致、または、近い推奨撮影画像データを検索し、撮像装置１００にデータを送信する。その後、ステップS１０６において現在の撮影位置、時刻に近い推奨撮影画像データが存在している場合、撮像装置１００はステップS１０７において表示部９に受信された推奨撮影画像を表示する。一方、ステップS１０６において現在の撮影位置、時刻に近い推奨撮影画像データが存在しない場合、ステップS１０８において存在しない旨を表示部９に表示し、ステップS１１１において撮影補助モードを抜けることでフローチャートの処理を終了する。
【００２５】
その後、ステップS１０９において表示部９に表示された推奨撮影画像内から撮影者がどの推奨撮影画像を選択された検出を行う。ここで、ステップS１０９により推奨撮影画像が選択された場合、ステップS１１０において外部サーバーから選択画像の撮影位置、撮影構図、撮影パラメータ情報を取得する。一方、ステップS１０９において、推奨撮影画像が選択さてれいないと判定された場合、ステップS１１１において撮影補助モードを抜けることでフローチャートの処理を終了する。その後、ステップS１１２において取得した撮影位置情報を表示部９により表示する。そして、ステップS１１３において表示部９に表示した撮影位置に近づいたか否かを判定する。ここで、撮影者が撮影位置に近づいた場合、ステップS１１４において画像合成処理部６により撮像したスルー画に撮影位置を示す撮影位置提示用仮想枠を重畳した撮影画像を表示部９に表示する（図３）。これにより、撮影者は表示部９に表示された撮影位置提示用仮想枠を確認しながら撮影位置に達することで、推奨撮影画像を撮影した正確な撮影位置に位置することが可能となる。
【００２６】
最後に、ステップS１１５において推奨撮影画像の撮影位置に到着したか否かを判定する。ここで、撮影位置に到着したと判定された場合、ステップS１１６において推奨撮影画像を撮影するための絞り、シャッタースピード等のカメラパラメータを撮像装置１００に自動で設定する。その後、画像合成処理部６において推奨撮影画像の撮影構図を示す撮影構図提示用仮想枠をスルー画に重畳した撮影画像を表示部９に表示する（図４）。この撮影構図提示用仮想枠と表示部９で表示されている画角とを、図５に示すように合わせ、撮影することでフローチャートの処理を終了する。これにより、推奨撮影画像と同じ構図の撮影が可能となる。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００２８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００２９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００３０】
その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。
【００３１】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００３２】
１  撮像処理部、２  画像処理部、３  制御処理部、４  無線処理部、
５  撮像装置状態検出部、６  画像合成部、７  記録部、８  操作部、９  表示部、
１００  撮像装置
【図１】
2017085433.tif 000003
【図２】
2017085433.tif 000004
【図３】
2017085433.tif 000005
【図４】
2017085433.tif 000006
【図５】
2017085433.tif 000007
【図６】
2017085433.tif 000008